(57)【要約】【課題】支持体に搭載される電子機器間の接続及び接続解除を容易に行うことを課題とする。【解決手段】電子機器は、支持体に支持されたときに付勢部材によって支持体からの抜方向と一致する方向に付勢された第１のコネクタ、第１のコネクタを支持体に対する挿抜方向と一致する方向に移動可能に収納したコネクタ収納部を備えるとともに、積層設置される他の電子機器が備える第１のコネクタに当接してこの第１のコネクタを挿抜方向に移動させるガイド部を備えた筐体、ガイド部から筐体内に臨む他の電子機器が備える第１のコネクタと接続可能である位置に配置された第２のコネクタを備える。電子機器は、筐体と支持体との位置関係に応じて第１のコネクタのコネクタ収納部に対する出没状態を切り替える押さえ部材、コネクタ収納部内における第１のコネクタの電子機器の挿抜方向の位置に応じて第１のコネクタの積層方向位置を変化させる案内レール部を備える。【選択図】図３
2014038538.tif 000002
【特許請求の範囲】
【請求項１】
支持体への挿入方向に沿って移動させて他の電子機器と積層された状態で前記支持体に設置される電子機器であって、
前記電子機器が前記支持体に支持された状態であるときに付勢部材によって前記電子機器の前記支持体からの抜方向と一致する方向に付勢された第１のコネクタと、
積層方向に並列された第１板と第２板とを備え、前記第１板側に、前記第１のコネクタを前記電子機器の前記支持体に対する挿抜方向と一致する方向に移動可能に収納したコネクタ収納部を備え、前記第２板側に、積層設置される他の電子機器が備える前記第１のコネクタに当接して当該第１のコネクタを前記電子機器の挿抜方向に移動させるガイド部を備えた筐体と、
前記ガイド部から前記筐体内に臨む前記他の電子機器が備える前記第１のコネクタと接続可能である位置に配置された第２のコネクタと、
前記筐体と前記支持体との位置関係に応じて前記第１のコネクタの前記コネクタ収納部に対する出没状態を切り替える押さえ部材と、
前記コネクタ収納部内における前記第１のコネクタの前記電子機器の挿抜方向の位置に応じて前記第１のコネクタの積層方向位置を変化させる案内レール部と
を備えた電子機器。
【請求項２】
前記ガイド部は、前記支持体の挿入方向手前側に位置する手前側当接部と、前記支持体の挿入方向奥側に位置する奥側当接部とを含む請求項１に記載の電子機器。
【請求項３】
支持体への挿入方向に沿って移動させて他の電子機器と積層された状態で前記支持体に設置される電子機器の接続構造であって、
前記支持体に支持されたときに積層方向の第１の側に位置する電子機器は、
前記電子機器が前記支持体に支持された状態であるときに付勢部材によって前記電子機器の前記支持体からの抜方向と一致する方向に付勢された第１のコネクタと、
積層方向に並列された第１板と第２板とを備え、前記第１板側に、前記第１のコネクタを前記電子機器の前記支持体に対する挿抜方向と一致する方向に移動可能に収納したコネクタ収納部を備えた筐体と、
前記筐体と前記支持体との位置関係に応じて前記第１のコネクタの前記コネクタ収納部に対する出没状態を切り替える押さえ部材と、
前記コネクタ収納部内における前記第１のコネクタの前記電子機器の挿抜方向の位置に応じて前記第１のコネクタの積層方向位置を変化させる案内レール部とを備え、
前記支持体に支持されたときに積層方向の第１の側と反対側となる第２の側に位置する電子機器は、
積層方向に並列された第１板と第２板とを備え、前記第２板側に、前記第１の側に積層設置された電子機器が備える前記第１のコネクタに当接して当該第１のコネクタを前記電子機器の挿抜方向に移動させるガイド部を備えた筐体と、
前記ガイド部から前記筐体内に臨む前記他の電子機器が備える前記第１のコネクタと接続可能である位置に配置された第２のコネクタと、
を備えた電子機器の接続構造。
【請求項４】
前記付勢部材は、前記支持体に支持された請求項３に記載の電子機器の接続構造。
【請求項５】
前記押さえ部材は、前記コネクタ収納部に対して出没自在に前記筐体に設けられ、
前記支持体は、前記電子機器の挿入に伴って前記押さえ部材に接触し、前記押さえ部材を前記筐体内へ没入させる突出部を備える請求項３又は４に記載の電子機器の接続構造。
【請求項６】
前記ガイド部は、前記支持体の挿入方向手前側に位置する手前側当接部と、前記支持体の挿入方向奥側に位置する奥側当接部とを含む請求項３乃至５のいずれか一項に記載の電子機器の接続構造。
【請求項７】
支持体と、
前記支持体への挿入方向に沿って移動させて他の電子機器と積層された状態で前記支持体に設置される電子機器を備え、
前記電子機器は、
前記電子機器が前記支持体に支持された状態であるときに付勢部材によって前記電子機器の前記支持体からの抜方向と一致する方向に付勢された第１のコネクタと、
積層方向に並列された第１板と第２板とを備え、前記第１板側に、前記第１のコネクタを前記電子機器の前記支持体に対する挿抜方向と一致する方向に移動可能に収納したコネクタ収納部を備え、前記第２板側に、積層設置される他の電子機器が備える前記第１のコネクタに当接して当該第１のコネクタを前記電子機器の挿抜方向に移動させるガイド部を備えた筐体と、
前記ガイド部から前記筐体内に臨む前記他の電子機器が備える前記第１のコネクタと接続可能である位置に配置された第２のコネクタと、
前記筐体と前記支持体との位置関係に応じて前記第１のコネクタの前記コネクタ収納部に対する出没状態を切り替える押さえ部材と、
前記コネクタ収納部内における前記第１のコネクタの前記電子機器の挿抜方向の位置に応じて前記第１のコネクタの上下方向位置を変化させる案内レール部と、
を備えた電子装置。
【発明の詳細な説明】
【技術分野】
【０００１】
本発明は、電子機器、電子機器の接続構造及び電子装置に関する。
【背景技術】
【０００２】
エンクロージャ等の電子機器は、ラックやロッカーといった支持体に搭載して使用される。このとき、電子機器間の信号線や電源線等は、一般的にバックボードを利用したケーブル接続や、背面コネクタ盤により接続される。これにより、電子機器の機能を拡張することができる。このような接続を提案するものとして例えば特許文献１が知られている。
【先行技術文献】
【特許文献】
【０００３】
【特許文献１】特開平１１−２６１２６４号公報
【発明の概要】
【発明が解決しようとする課題】
【０００４】
ラックに搭載された複数の電子機器の接続にインターフェースコネクタを利用する場合、その実装スペースを確保し難い場合がある。また、各電子機器間のケーブル接続作業は、各電子機器がラックに搭載された後に行われる。このため、電子機器の設置現場においてケーブルの接続作業や、ケーブルの余長分の処理作業等が必要となり、機器設置に時間がかかる。この結果、機器が稼動できるようになるまでに時間がかかる。
【０００５】
そこで、本明細書開示の電子機器、電子機器の接続構造及び電子装置は、ラック等の支持体に搭載される電子機器間の接続及び接続解除を容易に行うことを課題とする。
【課題を解決するための手段】
【０００６】
本明細書開示の電子機器は、支持体への挿入方向に沿って移動させて他の電子機器と積層された状態で前記支持体に設置される電子機器であって、前記電子機器が前記支持体に支持された状態であるときに付勢部材によって前記電子機器の前記支持体からの抜方向と一致する方向に付勢された第１のコネクタと、積層方向に並列された第１板と第２板とを備え、前記第１板側に、前記第１のコネクタを前記電子機器の前記支持体に対する挿抜方向と一致する方向に移動可能に収納したコネクタ収納部を備え、前記第２板側に、積層設置される他の電子機器が備える前記第１のコネクタに当接して当該第１のコネクタを前記電子機器の挿抜方向に移動させるガイド部を備えた筐体と、前記ガイド部から前記筐体内に臨む前記他の電子機器が備える前記第１のコネクタと接続可能である位置に配置された第２のコネクタと、前記筐体と前記支持体との位置関係に応じて前記第１のコネクタの前記コネクタ収納部に対する出没状態を切り替える押さえ部材と、前記コネクタ収納部内における前記第１のコネクタの前記電子機器の挿抜方向の位置に応じて前記第１のコネクタの積層方向位置を変化させる案内レール部とを備える。
【０００７】
第１のコネクタは、コネクタ収納部内における自らの電子機器の挿抜方向の位置に応じて前記第１のコネクタの積層方向位置を変化させる。これにより、第１板側に位置する他の電子機器が備える第２のコネクタに対して接続及び接続解除をすることができる。すなわち、第１のコネクタが第１板側に移動すると、第１のコネクタと第２コネクタが接近し、両者を接続状態とすることができる。また、電子機器を引き抜くときに、第２板側に位置する電子機器が備える第１のコネクタが第２板側に移動し、第１板側に位置する電子機器が備える第２のコネクタとの接続を解除することができる。
【発明の効果】
【０００８】
本明細書開示の電子機器、電子機器の接続構造及び電子装置によれば、ラック等の支持体に搭載される電子機器間の接続を容易に行うことができる。
【図面の簡単な説明】
【０００９】
【図１】図１は実施形態の複数の電子機器（エンクロージャ）を備えた電子装置の正面図である。
【図２】図２は実施形態のエンクロージャと、エンクロージャの接続構造に含まれる突出部及び位置決め部材を示す斜視図である。
【図３】図３は図２におけるＡ−Ａ線断面図である。
【図４】図４は図３におけるＣ部を拡大して示す説明図である。
【図５】図５は実施形態のエンクロージャと、エンクロージャの接続構造に含まれる突出部及び位置決め部材を示す図面であり、図５（Ａ）は平面図、図５（Ｂ）は図５（Ａ）におけるＢ−Ｂ線断面図である。
【図６】図６は実施形態のエンクロージャが備えるプラグコネクタの斜視図である。
【図７】図７（Ａ）は収納された状態の押さえ部材を示し、図７（Ｂ）は迫り出した状態の押さえ部材を示す説明図である。
【図８】図８はエンクロージャの挿入開始直後の状態を示す説明図である。
【図９】図９は上側のエンクロージャが備える手前側当接部が下側のエンクロージャが備えるプラグコネクタに接触した瞬間の状態を示す説明図である。
【図１０】図１０は下側のエンクロージャが備えるプラグコネクタが上昇を開始する時点の様子を示す説明図である。
【図１１】図１１は上側のエンクロージャが備えるソケットコネクタに下側のエンクロージャが備えるプラグコネクタが嵌合する様子を示す説明図である。
【図１２】図１２はエンクロージャがラックに搭載され、ソケットコネクタとプラグコネクタとの接続が完了した様子を示す説明図である。
【図１３】図１３はエンクロージャがラックに搭載され、上下のエンクロージャの接続が完了した様子を示す説明図である。
【図１４】図１４はソケットコネクタとプラグコネクタとが接続した様子を拡大して示す説明図である。
【図１５】図１５はエンクロージャの引き抜き開始直後の状態を示す説明図である。
【図１６】図１６はソケットコネクタとプラグコネクタとの嵌合状態が解除される様子を示す説明図である。
【図１７】図１７は下側のエンクロージャが備えるプラグコネクタが押さえ部材の下側に収納される様子を示す説明図である。
【図１８】図１８（Ａ）は収納された状態の押さえ部材を示し、図１８（Ｂ）は迫り出した状態の押さえ部材を示す説明図である。
【図１９】図１９はラックからエンクロージャが引き抜かれた様子を示す説明図である。
【発明を実施するための形態】
【００１０】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されている場合がある。また、以下の説明において、電子機器の挿入方向、抜方向（挿抜方向）及び上下方向（積層方向）は、図２に示した方向として説明する。
【００１１】
（実施形態）
≪電子機器及び電子装置≫
図１は実施形態の複数の電子機器（エンクロージャ）１１を備えた電子装置１の正面図である。図２は実施形態のエンクロージャ１１と、エンクロージャ１１の接続構造に含まれる突出部１８ａ及び位置決め部材２０を示す斜視図である。図３は図２におけるＡ−Ａ線断面図である。また、図４は図３におけるＣ部を拡大して示す説明図である。さらに、図５は実施形態のエンクロージャ１１と、エンクロージャの接続構造に含まれる突出部１８ａ及び位置決め部材２０を示す図面であり、図５（Ａ）は平面図、図５（Ｂ）は図５（Ａ）におけるＢ−Ｂ線断面図である。図６は実施形態のエンクロージャ１１が備えるプラグコネクタ１５の斜視図である。
【００１２】
本実施形態の電子装置１は、ラック１０に搭載された複数のエンクロージャ１１を備えている。ラック１０は、支持体の一例であり、ロッカーであってもよい。エンクロージャ１１は、電子機器の一例である。エンクロージャ１１は、ラック１０への挿入方向に沿って移動させ、他のエンクロージャ１１とともに上下方向に積層された状態で設置されている。本実施形態のエンクロージャ１１は、上下のエンクロージャ１１同士で接続及び接続解除を行うことができる。この接続及び接続解除の動作は、エンクロージャ１１のラック１０に対する挿入動作、引き抜き動作に伴って自動的に行われる。以下の説明で、上側のエンクロージャ１１と下側のエンクロージャ１１との関係を説明する場合、上側に位置するエンクロージャの参照番号を１１Ｕｐ、下側に位置するエンクロージャの参照番号を１１Ｌｏｗとして説明することがある。また、上側のエンクロージャ１１に含まれる構成要素について説明する場合、その構成要素にはＵｐの添字を付し、下側のエンクロージャ１１に含まれる構成要素を説明する場合、その構成要素にはＬｏｗの添字を付すことがある。なお、エンクロージャ１１の積層方向は上下方向に限定されるものではいが、本実施形態では、積層方向を上下方向として説明する。このため、本実施形態において、積層方向の第１の側は、下側となり、積層方向の第１の側と反対側となる第２の側は上側となる。
【００１３】
図面を参照すると、エンクロージャ１１は、筐体１２を備える。筐体１２は、積層方向に並列された天板１２ａと底板１２ｂを備える。天板１２ａは、第１の板体に相当し、底板１２ｂは、第２板体に相当する。筐体１２は、天板１２ａの挿抜方向の奥側端部に、プラグコネクタ１５を収納したコネクタ収納部１３を備えている。プラグコネクタ１５は第１のコネクタに相当する。このプラグコネクタ１５は、後に説明する第２のコネクタと接続し、また、接続解除される。第２のコネクタは、プラグコネクタ１５と接続するソケットコネクタ１６である。なお、第１のコネクタをソケットコネクタとし、第２のコネクタをプラグコネクタとしてもよい。また、第１のコネクタと第２のコネクタは、互いに接続できるものであれば、その形状、種類は問わない。
【００１４】
図６を参照すると、プラグコネクタ１５は、ケース部１５ａを備えている。ケース部１５は、後述する位置決め部材２０の当接部２０ａが当接する当接面１５ａ１を備える。ケース部１５ａ内には、端子部１５と接続ピン１５ｃが設けられている。接続ピン１５は、プラグコネクタ１５とソケットコネクタ１６との接続を安定させる。さらに、ケース部１５ａは側面にガイドピン１５ｄを備えている。
【００１５】
プラグコネクタ１５は、エンクロージャ１１のラック１０に対する挿抜方向と一致する方向に移動可能にコネクタ収納部１３内に収納されている。プラグコネクタ１５は、エンクロージャ１１がラック１０に支持された状態であるときにエンクロージャ１１とは別個に設けられたコイルスプリング２１によってエンクロージャ１１のラック１０からの抜方向と一致する方向に付勢されている。ここで、コイルスプリング２１は、付勢部材の一例であり、従来公知の他の弾性部材を採用することもできる。コイルスプリング２１は、エンクロージャ１１とは別個に設けられたものであり、ラック１０が備える支柱１０ａに設けられたベース部１８に支持されている。具体的に、ベース部１８に形成された突出部１８ａに棒状の位置決め部材２０が摺動可能に取り付けられ、その周囲にコイルスプリング２１が配置されている。コイルスプリング２１は、位置決め部材２０を付勢している。位置決め部材２０は、プラグコネクタ１５が備える当接面１５ａ１に対する当接部２０ａを備えている。そして、位置決め部材２０は、当接部２０ａがプラグコネクタ１５と当接し、コイルスプリング２１の弾性力が発揮されることにより、プラグコネクタ１５の位置決めに寄与する。
【００１６】
エンクロージャ１１は、筐体１２が備える底板１２ｂの奥側端部に、挿抜方向に延びる溝状のガイド部１７を備えている。ガイド部１７には、プラグコネクタ１５Ｌｏｗが係合することができる。ガイド部１７は、下側に積層設置された他のエンクロージャ１１Ｌｏｗが備えるプラグコネクタ１５Ｌｏｗに当接してプラグコネクタ１５Ｌｏｗをエンクロージャ１１の挿入方向及び抜方向に移動させる。図３や図５（Ｃ）を参照すると、ガイド部１７は、挿抜方向の手前側に手前側当接部１７ａを備え、挿抜方向の奥側に奥側当接部１７ｂを備える。手前側当接部１７ａの位置は、溝状のガイド部１７の手前側端部と一致している。奥側当接部１７ｂは、溝状のガイド部１７の中程に位置している。このため、手前側当接部１７ａと奥側当接部１７ｂの高さ位置は異なっている。すなわち、奥側当接部１７ｂは、手前側当接部１７ａよりも筐体１２の内側に位置している。
【００１７】
筐体１２は、ガイド部１７、より具体的に、手前側当接部１７ａと奥側当接部１７ｂとの間で内外が連通可能な状態となっている。そして、筐体１２の内部には、このガイド部１７から筐体１２内に臨むプラグコネクタ１５Ｌｏｗと接続可能である位置にソケットコネクタ１６が設けられている。ソケットコネクタ１６は、第２のコネクタに相当する。ソケットコネクタ１６は、コネクタ基板１６ａ上に設けられたに端子部１６ｂと接続孔１６ｃを備えている。端子部１６ｂは、プラグコネクタ１５が備える端子部１５ｂと接続され、また、接続解除される。接続孔１６ｃは、プラグコネクタ１５が備える接続ピン１５ｃと接続され、また、接続解除される。
【００１８】
図７を参照すると、エンクロージャ１１は、押さえ部材２３を備える。押さえ部材２３は、筐体１２とラック１０との位置関係に応じてプラグコネクタ１５のコネクタ収納部１３に対する出没状態を切り替える。押さえ部材２３は、より具体的に、ラック１０が備えるベース部１８に設けられた突出部１８ａとの位置関係に応じてプラグコネクタ１５のコネクタ収納部１３に対する出没状態を切り替える。押さえ部材２３は、バネ部材２３ａによりコネクタ収納部１３側へ付勢されて筐体１２に装着され、筐体１２に対して出没自在に設けられている。押さえ部材２３は、エンクロージャ１１がラック１０に挿入され、突出部１８ａによって押圧されると筐体１２内へ押し込まれ収納される。押さえ部材２３が筐体１２内へ収納されると、プラグコネクタ１５は、コネクタ収納部１３から突出した状態となることができる。これとは逆に、エンクロージャ１１がラック１０から引き抜かれ、突出部１８ａによる押圧状態が解除されると、バネ部材２３ａの付勢力により、コネクタ収納部１３側へ迫り出す。このとき、プラグコネクタ１５が押さえ部材２３の下側に位置していると、プラグコネクタ１５の突出が押さえられる。
【００１９】
エンクロージャ１１は、プラグコネクタ１５の案内レール部１４ａ、１４ｂを備える。案内レール部１４ａ、１４ｂは、コネクタ収納部１３の内周側壁に設けられており、プラグコネクタ１５が備えるガイドピン１５ｄが係合する。案内レール部１４ａ、１４ｂは、プラグコネクタ１５の積層方向（上下方向）位置をコネクタ収納部１３内におけるプラグコネクタ１５のエンクロージャ１１の挿抜方向の位置に応じて変化させる。図４を参照すると、案内レール部１４ａ、１４ｂは、挿抜方向の手前側（抜方向）から順に連続して第１水平部１４ａ１、１４ｂ１、第１傾斜部１４ａ２、１４ｂ２、第２水平部１４ａ３、１４ｂ３及び第２傾斜部１４ａ４、１４ｂ４を備えている。案内レール部１４ａにおいて、第２水平部１４ａ３は、第１水平部１４ａ１よりも上側に位置している。案内レール部１４ａにおいて、第１傾斜部１４ａ２は挿入方向に沿って登り傾斜を形成している。第２傾斜部１４ａ４は、挿入方向に沿って下り傾斜を形成している。なお、以下の説明で、第１水平部１４ａ１の端部をＰ１地点、第１水平部１４ａ１と第１傾斜部１４ａ２との連続部をＰ２地点、第１傾斜部１４ａ２と第２水平部１４ａ３との連続部をＰ３地点、第２水平部１４ａ３と第２傾斜部１４ａ４との連続部をＰ４地点、第２傾斜部１４ａ４の端部をＰ５地点と称する。以上の関係は、案内レール部１４ｂにおいても同様である。第２水平部１４ａ３、１４ｂ３には、板バネ部材２２が組み込まれている。プラグコネクタ１５Ｌｏｗはソケットコネクタ１６Ｕｐと接続されるとき、第２水平部１４ａ３、１４ｂ３に位置する。このとき、バネ部材２２の付勢力によりプラグコネクタ１５Ｌｏｗが押し上げられる状態となり、安定した接続が確保される。
【００２０】
つぎに、エンクロージャ１１の挿抜動作に伴うエンクロージャ１１同士の接続及び接続解除について説明する。
【００２１】
≪搭載済のエンクロージャの上側にさらにエンクロージャを搭載する場合≫
まず、ラック１０に搭載済のエンクロージャ１１Ｌｏｗの上側にさらにエンクロージャ１１Ｕｐを搭載する場合について説明する。エンクロージャ１１ＬｏｗはエンクロージャＵｐに対して相手方の電子機器、すなわち、他の電子機器に相当する。図８は、エンクロージャ１１Ｕｐがラック１０に搭載される様子を示し、エンクロージャ１１Ｕｐの挿入開始直後の状態を示す説明図である。図８を参照すると、これからラック１０に搭載されるエンクロージャ１１Ｕｐが備えるプラグコネクタ１５ＵｐはＰ５地点に位置し、押さえ部材２３Ｕｐによってコネクタ収納部１３Ｕｐ内に収納された状態となっている。押さえ部材２３Ｕｐは、突出部１８ａＵｐと接触していないため、迫り出した状態となっており、プラグコネクタ１５Ｕｐの突出（上昇）を押さえている。これに対し、すでにラック１０に支持され、搭載された状態のエンクロージャ１１Ｌｏｗが備えるプラグコネクタ１５Ｌｏｗは、位置決め部材２０Ｌｏｗ及びコイルスプリング２１ＬｏｗによってＰ１地点まで移動させられている。すなわち、プラグコネクタ１５Ｌｏｗは、押さえ部材２３Ｌｏｗに押さえられた状態から開放され、頂部が僅かにコネクタ収納部１３Ｌｏｗから突出した状態となっている。
【００２２】
このような状態のプラグコネクタ１５Ｌｏｗの頂部は、エンクロージャ１１Ｕｐの挿入動作に伴って、エンクロージャ１１Ｕｐが備えるガイド部１７Ｕｐ内を通過する。そして、エンクロージャ１１Ｕｐは、ガイド部１７Ｕｐが備える手前側当接部１７ａｕｐにプラグコネクタ１５Ｌｏｗが当接する位置まで挿入される。このとき、奥側当接部１７ｂＵｐは、手前側当接部１７ａＵｐよりも上側に位置しているので、ガイド部１７Ｕｐ内を通過するプラグコネクタ１５Ｌｏｗの頂部に接触することはない。
【００２３】
つぎに、図９は上側のエンクロージャ１１Ｕｐが備える手前側当接部１７ａＵｐが下側のエンクロージャ１１Ｌｏｗが備えるプラグコネクタ１５Ｌｏｗ（当接部１５ａ１Ｌｏｗ）に接触した瞬間の状態を示す説明図である。手前側当接部１７ａＵｐが、プラグコネクタ１５Ｌｏｗが備える当接部１５ａ１Ｌｏｗに当接した状態となると、プラグコネクタ１５Ｌｏｗとソケットコネクタ１６Ｕｐとの挿抜方向の位置が一致する。そして、エンクロージャ１１Ｕｐがさらに奥まで挿入されると、この位置関係が維持されたまま、プラグコネクタ１５Ｌｏｗは第１水平部１４ａ１、１４ｂ１に沿って移動する。
【００２４】
一方、突出部１８ａが押さえ部材２３Ｕｐと接触して押圧し、押さえ部材２３を没状態とするとともに、当接部１５ａ１Ｕｐに位置決め部材２０の当接部２０ａＵｐが当接する。これにより、プラグコネクタ１５ＵｐはＰ５地点から第２傾斜部１４ａ４、１４ｂ４に沿って移動する。
【００２５】
つぎに、図１０は、下側のエンクロージャ１１Ｌｏｗが備えるプラグコネクタ１５Ｌｏｗが上昇を開始する時点の様子を示す説明図である。すなわち、図１０は、プラグコネクタ１５Ｌｏｗが、Ｐ２地点まで到達した状態を示している。この時点では、プラグコネクタ１５Ｌｏｗは上昇を開始していないので、プラグコネクタ１５Ｌｏｗとソケットコネクタ１６Ｕｐとの積層方向の位置関係は変化していない。
【００２６】
つぎに、図１１は、上側のエンクロージャ１１Ｕｐが備えるソケットコネクタ１６Ｕｐに下側のエンクロージャ１１Ｌｏｗが備えるプラグコネクタ１５Ｌｏｗが嵌合する様子を示す説明図である。プラグコネクタ１５Ｌｏｗは、手前側当接部１７ａに押されることによって第１傾斜部１４ａ２、１４ｂ２に沿って上昇する。すなわち、プラグコネクタ１５Ｌｏｗは、Ｐ２地点からＰ３地点に向かって上昇する。これにより、端子部１５ｂＬｏｗと端子部１６ｂＵｐとが嵌合し始め、接続ピン１５ｃＬｏｗが接続孔１６ｃＵｐとが嵌合し始める。このとき、奥側当接部１７ｂＵｐは、上昇するプラグコネクタ１５Ｌｏｗのガイドとして機能する。なお、プラグコネクタ１５Ｌｏｗとソケットコネクタ１６Ｕｐは、嵌合し易いように、双方をテーパ形状としておくとよい。上側のエンクロージャ１１Ｕｐが備えるプラグコネクタ１５Ｕｐは位置決め部材２０によって継続的に付勢され、手前側への移動を継続している。
【００２７】
つぎに、図１２は、ソケットコネクタ１６Ｕｐとプラグコネクタ１５Ｌｏｗとの接続が完了した様子を示す説明図である。プラグコネクタ１５Ｌｏｗは、手前側当接部１７ａに押されることによってＰ３地点に到達する。この時点で、ソケットコネクタ１６Ｕｐとプラグコネクタ１５Ｌｏｗとの嵌合が完了する。
【００２８】
つぎに、図１３は、上下のエンクロージャ１１Ｕｐ、１１Ｌｏｗの接続が完了した様子を示す説明図である。プラグコネクタ１５Ｌｏｗは、手前側当接部１７ａに押されて第２水平部１４ａ３、１４ｂ３に沿って移動する。これにより、エンクロージャ１１Ｕｐとエンクロージャ１１Ｌｏｗとの接続が完了する。このとき、第２水平部１４ａ３、１４ｂ３に設けられた板バネ部材２２によりプラグコネクタ１５Ｌｏｗがソケットコネクタ１６Ｕｐ側へ付勢されているので、プラグコネクタ１５Ｌｏｗとソケットコネクタ１６Ｕｐとの嵌合寸法が調節される。これにより、エンクロージャ１１Ｕｐとエンクロージャ１１Ｌｏｗとの安定、かつ、強固な接続状態を実現することができる。
【００２９】
なお、挿入が完了したエンクロージャ１１Ｕｐは、支柱１０ａへネジ止め等で固定することができる。挿入が完了したエンクロージャ１１Ｕｐは、図８に示したエンクロージャ１１Ｌｏｗと同様の状態となっており、さらに上側に積層されるエンクロージャ１１の受け入れ態勢が整った状態となっている。
【００３０】
ここで、図１４を参照して、手前側当接部１７ａＵｐと奥側当接部１７ｂＵｐの機能について説明する。プラグコネクタ１５Ｌｏｗは、手前側当接部１７ａＵｐと奥側当接部１７ｂＵｐとの間を通じて筐体１２内に配置されたソケットコネクタ１６Ｕｐと接続される。このため、プラグコネクタ１５Ｌｏｗとソケットコネクタ１６Ｕｐとは、適切に位置決めされることが求められる。手前側当接部１７ａＵｐとプラグコネクタ１５Ｌｏｗとの間、奥側当接部１７ｂＵｐとプラグコネクタ１５Ｌｏｗとの間にはそれぞれ適切なクリアランスが設けられている。これにより、手前側当接部１７ａＵｐと奥側当接部１７ｂＵｐはプラグコネクタ１５Ｌｏｗの上下移動をガイドすることができる。
【００３１】
≪上側のエンクロージャを引き抜く場合≫
つぎに、上側のエンクロージャ１１Ｕｐを引き抜く場合について説明する。上側のエンクロージャ１１Ｕｐを引き抜くプロセスは、図８乃至図１３で示したプロセスと逆のプロセスとなる。すなわち、図１３に示す状態から、上側のエンクロージャ１１Ｕｐの引き抜きを開始する。すると、奥側当接部１７ｂＵｐがプラグコネクタ１５Ｌｏｗのケース部１５ａに当接し、第２水平部１４ａ３、１４ｂ３に沿ってプラグコネクタ１５ＬｏｗをＰ３地点側へ移動させる。そして、さらにエンクロージャ１１Ｕｐを抜側へ引くと、プラグコネクタ１５Ｌｏｗは、奥側当接部１７ｂＵｐに押されて第１傾斜部１４ａ２、１４ｂ２に沿って移動し、下降する。この動作に伴ってソケットコネクタ１６Ｕｐとプラグコネクタ１５Ｌｏｗとの接続が解除される。そして、最終的には、図８に示す状態とすることができる。
【００３２】
≪下側のエンクロージャを引き抜く場合≫
つぎに、上下に搭載済のエンクロージャ１１Ｕｐ、１１Ｌｏｗのうち、下側のエンクロージャ１１Ｌｏｗを引き抜く場合について説明する。図１５はエンクロージャ１１Ｌｏｗの引き抜き開始直後の状態を示す説明図である。下側のエンクロージャ１１Ｌｏｗを抜側へ移動させることにより、エンクロージャ１１Ｕｐが備える手前側当接部１７ａＵｐに押されるプラグコネクタ１５Ｌｏｗは、Ｐ４地点まで第２水平部１４ａ３、１４ｂ３に沿って水平に移動する。このとき、プラグコネクタ１５Ｌｏｗとソケットコネクタ１６Ｕｐとは嵌合された状態である。
【００３３】
つぎに、図１６はソケットコネクタ１６Ｕｐとプラグコネクタ１５Ｌｏｗとの嵌合状態が解除される様子を示す説明図である。下側のエンクロージャ１１Ｌｏｗを抜側へさらに移動させると、手前側当接部１７ａＵｐに押されるプラグコネクタ１５Ｌｏｗは、Ｐ４地点からＰ５地点に向かって第２傾斜部１４ａ４、１４ｂ４に沿って移動する。これにより、プラグコネクタ１５Ｌｏｗが下降し、プラグコネクタ１５Ｌｏｗとソケットコネクタ１６Ｕｐとの嵌合が解除され、プラグコネクタ１５Ｌｏｗとソケットコネクタ１６Ｕｐとの接続が解除される。
【００３４】
つぎに、図１７は下側のエンクロージャ１１Ｌｏｗが備えるプラグコネクタ１５Ｌｏｗが押さえ部材２３の下側に収納される様子を示す説明図である。下側のエンクロージャ１１Ｌｏｗを抜側へさらに移動させると、手前側当接部１７ａＵｐに押されるプラグコネクタ１５Ｌｏｗは、Ｐ５地点へ移動する。Ｐ５地点へ移動したプラグコネクタ１５Ｌｏｗは、コネクタ収納部１３内へ完全に収納された状態となる。また、プラグコネクタ１５がＰ５地点へ移動した状態であるとき、突出部１８ａによる押さえ部材２３の押圧が解除されている。これにより、押さえ部材２３が迫り出し、プラグコネクタ１５Ｌｏｗの突出が押さえられる。この動作につき、図１８（Ａ）及び（Ｂ）を参照しつつ説明する。図１８（Ａ）は筐体１２内に収納された状態の押さえ部材２３を示し、図１８（Ｂ）は迫り出した状態の押さえ部材２３を示す説明図である。図１８（Ａ）に示すように押さえ部材２３は、突出部１８ａによって押圧されると筐体１２内に押し込まれて収納されている。この状態からエンクロージャ１１の筐体１２が引き抜かれると、突出部１８ａが相対的に後退する。この結果、突出部１８ａによる押さえ部材２３の押圧状態が解除される。押さえ部材２３は、突出部１８ａによる押圧状態が解除されると、バネ部材２３ａの付勢力により、コネクタ収納部１３側へ迫り出す。このとき、プラグコネクタ１５が押さえ部材２３の下側に位置しているため、プラグコネクタ１５の突出が押さえられる。プラグコネクタ１５Ｌｏｗがコネクタ収納部１３内に収納されると、上側のエンクロージャ１１Ｕｐが備える手前側当接部１７ａＵｐとプラグコネクタ１５Ｌｏｗとの当接状態も解除される。
【００３５】
つぎに、図１９はラック１０からエンクロージャ１１Ｌｏｗが引き抜かれた様子を示す説明図である。上述のように上側のエンクロージャ１１Ｕｐが備える手前側当接部１７ａＵｐとプラグコネクタ１５Ｌｏｗとの当接状態も解除されているので、容易に下側のエンクロージャ１１Ｌｏｗを引き抜くことができる。
【００３６】
≪搭載済のエンクロージャの下側にエンクロージャを搭載する場合≫
つぎに、ラック１０に搭載済のエンクロージャ１１Ｕｐの下側にエンクロージャＬｏｗを搭載する場合について説明する。下側のエンクロージャ１１Ｌｏｗを挿入し、搭載するプロセスは、図１５乃至図１９で示したプロセスと逆のプロセスとなる。すなわち、図１９に示す状態からエンクロージャ１１Ｌｏｗを挿入すると、コイルスプリング２１に付勢された位置決め部材２０がプラグコネクタ１５Ｌｏｗに当接する。また、突出部１８ａが押さえ部材２３に接触して押圧する。これにより、押さえ部材２３は、筐体１２内に収納される。この状態からさらにエンクロージャ１１Ｌｏｗが押し込まれると、位置決め部材２０に押されたプラグコネクタ１５Ｌｏｗは、Ｐ５地点からＰ４地点に向かって第２傾斜部１４ａ４、１４ｂ４を移動する。これにより、プラグコネクタ１５Ｌｏｗが上昇する。これにより、プラグコネクタ１５Ｌｏｗはソケットコネクタ１６Ｕｐと嵌合される。そして、第２傾斜部１４ａ４、１４ｂ４を移動することにより、プラグコネクタ１５Ｌｏｗとソケットコネクタ１６Ｕｐとの接続が完了する。
【００３７】
以上が、エンクロージャ１１の挿抜動作に伴うエンクロージャ１１同士の接続及び接続解除の様子である。例えば、目標箇所の上側及び下側にエンクロージャ１１が挿入されているときに、エンクロージャ１１を挿入したり、引き抜いたりするときは、上記の動作が複合的に行われることになる。
【００３８】
本実施形態によれば、エンクロージャ１１をラック１０に搭載する際に、各部を連動させて機器間の信号線や電源線等の電気的接続を行うことができる。この結果、インターフェースケーブルによる接続が不要となる。インターフェースケーブルによる接続が不要となると、機器設置の作業時間を短縮することができ、また、故障発生が懸念される箇所を低減することができる。また、インターフェースケーブルの使用が抑制されるため装置全体のコストが抑制される。
【００３９】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００４０】
１  電子装置                      １０  ラック
１０ａ  支柱                      １１  エンクロージャ
１１ｕｐ  上側エンクロージャ      １１ｄｗ  下側エンクロージャ
１２  筐体                        １２ａ  天板
１２ｂ  底板                      １３  コネクタ収納部
１４ａ、１４ｂ  案内レール部      １４ａ１、１４ｂ１  第１水平部
１４ａ２、１４ｂ２  第１傾斜部    １４ａ３、１４ｂ３  第２水平部
１４ａ４、１４ｂ４  第２傾斜部    １５  プラグコネクタ（第１のコネクタ）
１６  ソケットコネクタ（第２のコネクタ）
１７  ガイド部                    １７ａ  手前側当接部
１７ｂ  奥側当接部                １８  ベース部
１８ａ  突出部                    １９  筒状ガイド部
２０  位置決め部材                ２０ａ  当接部
２１  コイルスプリング（付勢部材）
２２  板バネ部材                  ２３  押さえ部材
【図１】
2014038538.tif 000003
【図２】
2014038538.tif 000004
【図３】
2014038538.tif 000005
【図４】
2014038538.tif 000006
【図５】
2014038538.tif 000007
【図６】
2014038538.tif 000008
【図７】
2014038538.tif 000009
【図８】
2014038538.tif 000010
【図９】
2014038538.tif 000011
【図１０】
2014038538.tif 000012
【図１１】
2014038538.tif 000013
【図１２】
2014038538.tif 000014
【図１３】
2014038538.tif 000015
【図１４】
2014038538.tif 000016
【図１５】
2014038538.tif 000017
【図１６】
2014038538.tif 000018
【図１７】
2014038538.tif 000019
【図１８】
2014038538.tif 000020
【図１９】
2014038538.tif 000021